(57)【特許請求の範囲】
【請求項１】
樹皮付丸太の両端部をコンクリートまたは樹脂で被覆すると共に樹皮付丸太の木口の外側に並行な連結用の取付孔を設けて連結用端部となした漁礁構成部材の複数本を１対の取付材間に差し渡し上記取付孔を介してボルト、ナット等の緊締手段により固定し、得られた魚礁構成部材群を魚礁の天部および側部の開口を塞ぐように上記取付材の両端部の別の取付孔を介してボルト、ナット等の緊締手段により固定したことを特徴とする人工魚礁。
【発明の詳細な説明】
【０００１】
【発明の属する技術分野】
本発明は、樹皮付丸太を用いた人工魚礁に関する。
【０００２】
【従来の技術】
従来木材を利用した魚礁は、（イ）木材を井桁状に組み上げ或いは三角柱状の屋根形に組み合わせ、これをコンクリート版に固定し或いはこれに土嚢を重りとして付けたもの、コンクリート基盤の上面に多数本の木材を間隔を開けて起設したもの、（ロ）コンクリートブロックに木材を複数本埋め込み、これらの木材の一部をコンクリートブロックの外部に露出させたもの（例えば特公平７−１６３４８号）であった。
【０００３】
【発明が解決しようとする課題】
ところで、上記従来の木材を利用した魚礁には次のような問題点があった。即ち、（イ）の魚礁は、生材を使うとフナクイムシ等の食害を受けて強度が低下するため、耐用年数が３年程度と短く、また、食害防止のために合成樹脂を含侵させたり、表面を焼くなどの処理方法があるが、いずれもコスト増加等の問題が生じ、実用に供することが困難であった。
【０００４】
上記（ロ）の魚礁は、コンクリートブロックの内部に型枠を使わずに内部空間や連通孔を形成するために、フナクイムシ等の食害を利用するものであり、外部形状はコンクリートのブロックで、形状の変化が乏しい。
【０００５】
本発明は、人工魚礁としての木材の耐久性を向上させることを目的としつゝ、部材同士或いは他の部材と併用することにより、組立魚礁として、若しくは幼稚魚育成用として既存の組立魚礁の蓋や側壁として使用することが出来るようにしたものである。
【０００６】
【課題を解決するための手段】
請求項１の発明は、樹皮付丸太の両端部をコンクリートまたは樹脂で被覆すると共に樹皮付丸太の木口の外側に並行な連結用の取付孔を設けて連結用端部となした漁礁構成部材の複数本を１対の取付材間に差し渡し上記取付孔を介してボルト、ナット等の緊締手段により固定し、得られた魚礁構成部材群を魚礁の天部および側部の開口を塞ぐように上記取付材の両端部の別の取付孔を介してボルト、ナット等の緊締手段により固定したことを特徴とする人工魚礁である。
【０００７】
【発明の実施の形態】
図１のＡは本発明による人工魚礁部材（魚礁構成部材）の半製品であり、１は間伐材等の樹皮付丸太である。２ａ、２ｂは樹皮付丸太１の端部（木口）１ａ、１ｂを被覆したコンクリート製の連結用端部で、その形状はこの例では円柱状に構成されている。連結用端部２ａ、２ｂは樹皮付丸太１の端部（木口）１ａ、１ｂを被覆すると共に丸太の軸線方向にも一定距離Ｌ１被覆している。このようにすることにより樹皮のはがれを防止し、結果的に、フナクイムシからの食害を防止し、かつ後述する魚礁組立てに役立つ。上記の距離Ｌ１は、例えば丸太の直径の０．５〜４倍、好ましくは２〜３倍である。木口からのコンクリートのみの突出量Ｌ２は、例えば丸太の直径の０．５〜４倍、好ましくは１〜３倍である。Ｌは部材Ａの全長である。木口からのフナクイムシの侵入を阻止しかつ樹皮のはがれを防止する機能を発揮する別の手段として、連結用端部２ａ、２ｂを樹脂で成型し、更に両端部間の丸太表面に樹脂またはコンクリートの皮膜を施すことも考えられる。
【０００８】
実施例ではない図２において、３は天板３ａと底板３ｂとの間に４本の柱３ｃを差し渡した角形魚礁（本体）で、コンクリート製であり、その天板３ａと底板３ｂには複数の貫通孔３ｄと有底穴３ｅが対をなして形成されており、穴３ｅは連結用端部２ａが、また孔３ｄは連結用端部２ｂが、夫々しっくり挿入出来る形状（横断面円形）となっている。このような構造の角形魚礁３の本体内に円柱状コンクリート製連結用端部２ａ、２ｂを有する複数本の樹皮付丸太１が天板３ａと底板３ｂ間に差し渡たされ、例えば貫通孔３ｄの上端に形成した空白部に生コンクリートを注入して人工魚礁部材Ａを魚礁本体に固着し、これにより複雑な魚礁空間構造が構成されている。尚、部材Ａの全長Ｌは魚礁３の高さＨよりやや短く構成される。
【０００９】
図３は実施例を示しており、全長Ｌ３の樹皮付丸太１の端部を被覆した４角柱状のコンクリート製連結用端部２ａ、２ｂに連結用の垂直な取付孔２ｃ、２ｄを設けている。この人工魚礁部材Ａの使用例を図４〜図６で説明する。
【００１０】
図４、図５（実施例ではない）は組立魚礁として構成したものである。即ち、魚礁部材Ａ群をコンクリート製の吊り架台４上に取付孔２ｃ、２ｄを合せて井桁状に組み上げ、ボルト、ナット等の緊締手段Ｂで固定し、一体としている。連結用端部２ａ、２ｂを図３のような４角柱状、または上下に平面を有する多角柱状または部分円柱状に形成すると、図５のように積層する際に姿勢が安定して組立てが容易になると共に魚礁全体の耐久性も向上する。
【００１１】
本発明の実施例を示す図６では魚礁部材Ａ群で、例えばコンクリート製魚礁７の天蓋と側壁の一部を構成している。即ち、複数本の魚礁部材Ａを取付材５、６間に差し渡し、取付孔２ｃ、２ｄと取付材５、６の取付孔を合せてボルト、ナット等の緊締手段（共に図示せず）により取付材５、６に固定している。このような魚礁部材結合体を魚礁７の天部７ａと側部７ｂの開口を塞ぐように、取付材５、６の両端の取付孔５ａ、６ａと魚礁７側の対応する取付孔７ｃを合せてボルト、ナット等の緊締手段（図示せず）で固定する。そうすると、魚礁７の内部に陰影が出来、外敵から身を守る空間が構成される。
【００１２】
【発明の効果】
全ての樹皮付丸太１の端部をコンクリート等の連結用端部２ａ、２ｂで被覆したことにより：
ａ；  樹皮の剥離防止を図りつゝ、フナクイムシからの食害を防止或いは遅延さすことが出来、より複雑な魚礁構造と魚礁空間を構成することができる。フナクイムシは木口からと、樹皮が無い場合は円筒状表面からも容易に侵入し、木材内部を蜂の巣状に食い荒らす。フナクイムシは引張れば１ｍ位にもなる大きいミミズ状の虫である。
ｂ；  ４角柱形状の例えばコンクリート製の連結用端部２ａ、２ｂに取付孔２ｃ、２ｄを設けることにより、高強度の組立魚礁として構成することが出来る。
ｃ；  魚礁部材Ａ群を種々の魚礁の天蓋、側壁として利用することにより、幼稚魚育成礁や底魚用の魚礁として利用出来る。
ｄ；  主要部が丸太であるため、全体の重量を軽くすることが出来、横持ち、組立て、沈設作業等において経済的になる。
【図面の簡単な説明】
【図１】人工魚礁部材の半製品の斜視図である。
【図２】図１の人工魚礁部材の使用状態（ただし実施例ではない）を示す斜視図である。
【図３】  人工魚礁部材の斜視図である。
【図４】図３の人工魚礁部材の使用状態（ただし実施例ではない）を示す平面略図である。
【図５】図４のＶ矢視側面図である。
【図６】  魚礁への使用例（本発明の実施例）を示す斜視図である。
【符号の説明】
１                樹皮付丸太
２ａ、２ｂ        連結用端部
２ｃ、２ｄ        取付孔
７                魚礁
Ａ                人工魚礁部材（魚礁構成部材）
【図１】
0003581824.tif 000002
【図２】
0003581824.tif 000003
【図３】
0003581824.tif 000004
【図４】
0003581824.tif 000005
【図５】
0003581824.tif 000006
【図６】
0003581824.tif 000007